(57)【特許請求の範囲】
【請求項１】
補給球計数器の取付板にエルボを固設して該補給球計数器から排出された補給球が水平方向に導かれるようにすると共に、一側に開設された連通口を前記エルボの吐出口に対向させることにより補給ノズルを該吐出口を中心として鉛直面内で回転自在なるように支持し、該補給ノズルを下傾姿勢から上向姿勢に付勢させるバネを設け、該補給ノズルの先端寄り上面にスリット孔を開設し、該補給ノズルが上向姿勢となったときに該スリット孔中に突入する球止片を前記取付板に固設し、さらに、該補給ノズルの後端部に景品球貯留タンクに当接し該補給ノズルを下傾姿勢として先端を該景品球貯留タンク内に臨ませるカンチレバーを固設してなることを特徴としたパチンコ機の景品球補給装置。
【発明の詳細な説明】
【０００１】
【発明の属する技術分野】
本発明はパチンコ機の景品球貯留タンクに景品球を補給する装置に関するものである。
【０００２】
【従来の技術】
パチンコ機の前面枠の裏側上部に設けられた景品球貯留タンクに景品球を補給するための装置は、従来から実開平４−９２２８２号公報，実用新案登録第２５２１１７９号公報等により知られているように、故障時等にパチンコ機の前面枠を前方に開いたときバネ付勢により遮断板が補給路を遮断させて補給球が貯留タンク外にこぼれるのを防ぐと共に、前面枠を元どおり閉じたときその景品球貯留タンクによりレバーが押圧され遮断板が後退して補給口が開かれ補給球の補給が再開されるように構成している。
【０００３】
【発明が解決しようとする課題】
ところで、従来のパチンコ機の景品球補給装置では、遮断板の二次側にある補給球が前面枠を開けたときに外にこぼれ出るおそれがあった。
また従来の景品球補給装置では、遮断板を有さず補給口を単に上向に屈曲させるだけで補給球を流出させないようにしたものもあったが、それでは後方に連なる補給球の圧力が強いと完全に遮断されず、こぼれることが避けられないものであった。
【０００４】
【課題を解決するための手段】
本発明に係るパチンコ機の景品球補給装置は上記課題を解決しようとするもので、補給球計数器の取付板にエルボを固設して該補給球計数器から排出された補給球が水平方向に導かれるようにすると共に、一側に開設された連通口を前記エルボの吐出口に対向させることにより補給ノズルを該吐出口を中心として鉛直面内で回転自在なるように支持し、該補給ノズルを下傾姿勢から上向姿勢に付勢させるバネを設け、該補給ノズルの先端寄り上面にスリット孔を開設し、該補給ノズルが上向姿勢となったときに該スリット孔中に突入する球止片を前記取付板に固設し、さらに、該補給ノズルの後端部に景品球貯留タンクに当接し該補給ノズルを下傾姿勢として先端を該景品球貯留タンク内に臨ませるカンチレバーを固設してなることを特徴とする。
【０００５】
【発明の実施の形態】
次に図面と共に本発明の実施の形態を説明する。図１にこのパチンコ機島の背面上部を示し、図２にその要部縦断面図、図３にその作動状態図、図４に要部斜視図を示す。１は景品球配給樋、２は該配給樋１から垂下している配給用ホース、３は機枠４上に水平に配設された帯板、５はパチンコ機の前面枠、６は該前面枠に設けられた遊技盤、７は景品球貯留タンク、８は景品球導出樋である。
【０００６】
１０は帯板３にビス１１より固設された取付基板、１２は該取付基板１０に着脱自在に設けられた取付板で、該取付板１２は一端縁に折曲形成された係合部１３を取付基板１０の背面に係合させると共に、他端の折曲縁に形成された竪長孔１４に蝶ナット１５を締付し、該蝶ナット１５を緩めることで該竪長孔１４の範囲内で高さ調節ができるように固着されている。１６は該取付板１２に設けられた補給球計数器で、該補給球計数器１６は取付板１２に折曲形成された係合片１７に一端縁を係合させると共に、他端縁部に設けられた摘子１８を押圧操作することで取付板１２に着脱自在に固着されたものである。そして該補給球計数器１６の上部球入口に接続管１９を設け、前記配給用ホース２を連結している。なお、補給球計数器１６内には球が通過することにより回転するスプロケットが設けられ、その回転によって通過球数が電気信号として出力されるようにしている。
【０００７】
２０は補給球計数器１６下部球排出口に相対するようにビス２１によって取付板１２に固設されたエルボで、該エルボ２０は補給球計数器１６から下方に排出された補給球を水平方向に導く。２２は該エルボ２０から受入した補給球を景品球貯留タンク７に導く補給ノズルである。該補給ノズル２２は基部２２ａと延長部２２ｂとをビス２３により連結してなり、図５に示したように該補給ノズル２２の一側に開設され連通口２４をエルボ２０の吐出口２５に対向させると共に、該連通口２４の反対側壁に突設された軸部２６をビス２８により取付板１２に固着された軸受体２７により回転自在に支持している。
【０００８】
そして該補給ノズル２２の先端寄り上面に図６に示したようにスリツト孔２９を開設している。３０は該補給ノズル２２の後端部にビス３１により固着し該補給ノズル２２と略々直交する方向に延びるように設けられたカンチレバーである。また、３２は軸部２６に巻回され一端をビス２８、他端をカンチレバー３０に止着することにより、補給ノズル２２を下傾姿勢から上向姿勢に付勢しているコイル状のバネである。また、３３は取付板１２の前面に突設された鉤状の球止片で、該球止片３３は補給ノズル２２が上向姿勢となったとき前記スリツト孔２９中に突入する。
【０００９】
このように構成したパチンコ機の景品球補給装置では、景品球配給樋１の景品球が配給用ホース２，接続管１９，補給球計数器１６を経てエルボ２０に至り、エルボ２０にて水平方向に導かれ、さらに連通口２４より補給ノズル２２中に導かれる。そして、前面枠５が閉じられているときは、図２に示したように、景品球貯留タンク７がカンチレバー３０の後側壁に当接し補給ノズル２２をバネ３２の弾性に抗して下傾姿勢にさせるので、該補給ノズル２２の先端が景品球貯留タンク７内に臨み、該景品球貯留タンク７中に景品球を補給できる態勢にあり、該景品球貯留タンク７中の景品球が景品球導出樋８を経て遊技者に払出されるに従い景品球が該補給ノズル２２より補給され、該景品球貯留タンク７中の景品球が常に一定レベルとなるようにしている。
【００１０】
そして、故障時等に前面枠５を開いたときは、図３に示したように、景品球貯留タンク７がカンチレバー３０から離れ、補給ノズル２２はバネ３２の弾性により上向姿勢となり、該補給ノズル２２のスリット孔２９に球止片３３が突入し該補給ノズル２２を閉止させる。このため、補給ノズル２２の先端が景品球貯留タンク７上から離れると同時に、図３に示したように、補給球の流出が完全に停止され、景品球貯留タンク７外に補給球がこぼれるようなおそれがない。また、故障等の点検を終え前面枠５が再び閉られると、景品球貯留タンク７がカンチレバー３０に接触し図２の状態に戻り景品球が補給されるようになる。
【００１１】
なお、このパチンコ機の景品球補給装置ではエルボ２０を設け、補給ノズル２２の一側に開設された連通口２４に該エルボ２０の吐出口２５を連通させ、該吐出口２５を中心として該補給ノズル２２が鉛直面内で回転自在なるようにしたので、流路が屈曲しているにも拘らず景品球の補給を常にスムースに行うことができる。また、球止片３３は補給ノズル２２が上向姿勢となることにより、該補給ノズル２２の先端部寄り上面に開設されたスリット孔２９より突入するので、前面枠５を開けたとき補給ノズル２２中にある補給球を殆んどこぼれ出させることなく閉止できる。
【００１２】
【発明の効果】
このように本発明の景品球補給装置によれば、前面枠を開けたときに補給球をこぼれさせないので、故障発生時等における前面枠の開閉作業を容易ならしめる有益な効果がある。
【図面の簡単な説明】
【図１】本発明に係るパチンコ機の景品球補給装置を示すパチンコ機島の背面図。
【図２】図１の要部拡大縦断面図。
【図３】図２の作動状態図。
【図４】図１の要部の斜視図。
【図５】図３のＡ−Ａ線断面図。
【図６】図３のＢ−Ｂ線断面図。
【符号の説明】
７        景品球貯留タンク
１２      取付板
１６      補給球計数器
２０      エルボ
２２      補給ノズル
２４      連通口
２５      吐出口
２７      軸受体
２９      スリット孔
３０      カンチレバー
３２      バネ
３３      球止片
【図１】
0004077903.tif 000002
【図２】
0004077903.tif 000003
【図３】
0004077903.tif 000004
【図４】
0004077903.tif 000005
【図５】
0004077903.tif 000006
【図６】
0004077903.tif 000007